(57)【要約】【課題】昇降路内に扉を落下させる恐れがなく、また、扉の開閉に必要なスペースを小さくすることができるエレベータの制御盤装置を得る。【解決手段】エレベータ昇降路内に設けられ、その内部に制御機器が収納される筐体１と、筐体１に形成された保守点検口１ａを覆う扉２と、一端部が鉛直方向の軸によって筐体１に回動自在に設けられ、扉２の側面に直交する方向の軸によって扉２を回動自在に支持する支持手段３とを備えることにより、例えば、横長状を呈する扉２の場合に、扉２を縦長状に配置した後、開閉動作を実施する。【選択図】図６
2007308288.tif 000002
【特許請求の範囲】
【請求項１】
エレベータ昇降路内に設けられ、その内部に制御機器が収納される筐体と、
前記筐体に形成された保守点検口を覆う扉と、
一端部が鉛直方向の軸によって前記筐体に回動自在に設けられ、前記扉の側面に直交する方向の軸によって前記扉を回動自在に支持する支持手段と、
を備えたことを特徴とするエレベータの制御盤装置
【請求項２】
扉は、上下方向の幅が左右方向の幅よりも小さい横長状を呈することを特徴とする請求項１に記載のエレベータの制御盤装置。
【請求項３】
扉は、支持手段の一端部側角部に切り欠きが形成され、
前記支持手段は、前記切り欠きが形成されたために前記扉によって覆うことができなくなった保守点検口の一部を覆うように配置された
ことを特徴とする請求項１又は請求項２に記載のエレベータの制御盤装置。
【請求項４】
常時に保守点検口が扉によって覆われるように、前記扉を所定の位置に固定する固定手段を備えたことを特徴とする請求項１から請求項３の何れかに記載のエレベータの制御盤装置。
【発明の詳細な説明】
【技術分野】
【０００１】
この発明は、エレベータ昇降路内に設置された制御盤装置に関するものである。
【背景技術】
【０００２】
一般に、エレベータの昇降路上方に機械室が設置されていないエレベータ装置では、制御盤装置や巻上機等、従来機械室に設置されていたエレベータ機器類が昇降路内に配置される。このようにして昇降路内に配置された従来の制御盤装置には、保守作業時のために着脱自在に設けられた前面カバーを複数枚のカバーによって構成し、上方のカバーの下部を下方のカバーの上部に外側から重ね合わせるようにして、制御盤装置内部への水の浸入を防止したものが提案されている（例えば、特許文献１参照）。
【０００３】
【特許文献１】特開２００２−３３８１５２号公報
【発明の開示】
【発明が解決しようとする課題】
【０００４】
昇降路内に設置される制御盤装置は、昇降路ピット部が浸水した際に内部に水が入り込むのを防止するため、又は、保守作業を容易にするため等といった理由により、昇降路内のある程度の高さに設置される。かかる場合に、特許文献１記載の制御盤装置のように、前面カバーが着脱自在に設けられていると、制御盤装置の保守点検時に、取り外したカバーを昇降路内に落下させる可能性があるという問題があった。
【０００５】
また、制御盤装置の前面を覆う一枚扉の側縁部又は上縁部、下縁部を蝶番で固定して開閉自在に構成する方法も考えられるが、昇降路内においては、一枚扉を開閉するための十分なスペースが確保できない場合もあった。
【０００６】
この発明は、上述のような課題を解決するためになされたもので、その目的は、昇降路内に扉を落下させる恐れがなく、また、扉の開閉に必要なスペースを小さくすることができるエレベータの制御盤装置を提供することである。
【課題を解決するための手段】
【０００７】
この発明に係るエレベータの制御盤装置は、エレベータ昇降路内に設けられ、その内部に制御機器が収納される筐体と、筐体に形成された保守点検口を覆う扉と、一端部が鉛直方向の軸によって筐体に回動自在に設けられ、扉の側面に直交する方向の軸によって扉を回動自在に支持する支持手段とを備えたものである。
【発明の効果】
【０００８】
この発明は、エレベータ昇降路内に設けられ、その内部に制御機器が収納される筐体と、筐体に形成された保守点検口を覆う扉と、一端部が鉛直方向の軸によって筐体に回動自在に設けられ、扉の側面に直交する方向の軸によって扉を回動自在に支持する支持手段とを備える構成としたことで、昇降路内に扉を落下させる恐れがなく、また、扉の開閉に必要なスペースを小さくすることができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータの制御盤装置の正面図、図２はこの発明の実施の形態１におけるエレベータの制御盤装置の平面図である。なお、図１及び図２は、エレベータの昇降路上方に機械室が設置されていない機械室レスエレベータの制御盤装置を示し、かかる制御盤装置は、図示されていないが昇降路内に設置されている。また、上記制御盤装置は、昇降路内を昇降するかご（図示せず）や釣合い重り（図示せず）と干渉することのないように、所定のスペースに配置されている。
【００１１】
図１及び図２において、１はエレベータ昇降路内に設けられ、その内部に各種制御機器が収納される筐体である。この筐体１は略直方体形状の箱状を呈し、昇降路内の所定の高さに配置されている。また、筐体１の前面には、内部に設けられた各種制御機器を保守点検するための保守点検口１ａが形成されている。ここで、筐体１は上下方向の幅が左右方向の幅よりも小さい横長状を呈しており、保守点検口１ａも筐体１の形状に合わせて横長の長方形状を呈するように形成されている。
【００１２】
また、２は保守点検口１ａを筐体１の前面側から覆う扉、３は一端部が鉛直方向の軸によって筐体１に回動自在に設けられ、扉２の側面に直交する方向の軸によって扉２を回動自在に支持する支持手段である。上記扉２は、保守点検口１ａ全体を覆うように、保守点検口１ａの形状に合わせて正面視横長の略長方形状を呈しており、その左右両端部が、筐体１の各側面と対向するように平面視略Ｌ字状に曲成されている。また、上記支持手段３は、一端部が蝶番４を介して筐体１の一側面に回動自在に設けられ、筐体１の側方に配置された支持腕５と、一端部が蝶番６を介して支持腕５の他端部に回動自在に設けられ、筐体１の前方に配置された支持腕７と、支持腕７の他端部に設けられ、扉２を回動自在に支持する支持軸８とから構成される。なお、蝶番４及び蝶番６の各回動軸は略鉛直に配置されている。また、扉２はその回動軸が扉２の側面に略直交するように、即ち、略水平となるように支持軸８によって支持されている。
【００１３】
ここで、図３及び図４はこの発明の実施の形態１におけるエレベータの制御盤装置の扉の開閉動作を示す平面図、図５はこの発明の実施の形態１におけるエレベータの制御盤装置の扉の開閉動作を示す正面図であり、図３は蝶番４を中心に支持腕５を回転させて扉２を少し開放した状態を、また、図４は図３の状態から蝶番６を中心に支持腕７を回転させて、扉２をさらに開放した状態を、図５は支持軸８を中心に扉２を約９０度回転させることにより、もともと横長状に配置されて保守点検口１ａを塞いでいた扉２を、筐体１の前方において縦長状に配置した状態を示している。
【００１４】
また、図６はこの発明の実施の形態１におけるエレベータの制御盤装置の扉の開閉動作を示す平面図であり、扉２の支持状態を示したものである。図６において、扉２は、図示しない所定の間隙を有して支持軸８に対して回動自在に支持されている。即ち、扉２と支持軸８との間には、扉２を支持軸８に対して所定角度傾斜させることができるだけの遊びが設けられている。したがって、扉２の周縁部を支持軸８の軸方向に所定距離動かすことが可能であり、筐体１の前面に多少の突起物が設けられている場合であっても、支持軸８を中心に扉２を回転させる際に、扉２と突起物との干渉を回避して容易に扉２の配置を変更することができる。
【００１５】
かかる構成を有するエレベータの制御盤装置では、扉２が支持手段３によって筐体１に設けられ、扉２の開閉時においても扉２が支持手段３によって支持されているため、保守点検時に扉２を昇降路内に落下させる恐れはない。
【００１６】
また、常時に横長状に配置されて保守点検口１ａを閉鎖する扉２が、その開閉時に、支持軸８を中心に回転されて縦長状に配置されるため、扉２の開閉に必要なスペースを小さくすることが可能となる。ここで、図７はこの発明の実施の形態１におけるエレベータの制御盤装置の効果を説明するための図であり、（ａ）は扉２を横長状に配置した状態のまま扉２を開放した状態を、（ｂ）は支持軸８を中心に扉２を約９０度回転させて扉２を縦長状に配置した後、扉２を開放した状態を示している。図７において、扉２は、常時に左右方向の幅が上下方向の幅よりも広くなるように配置されている。したがって、扉２を縦長状に配置することにより、鉛直投影面上、支持軸８から扉２の開閉時における最外部２ａまでの距離をＬだけ短くすることができ、開閉に必要なスペースを小さくすることが可能となる。
【００１７】
なお、上記距離Ｌは、支持軸８の配置によって異なるため、距離Ｌがなるべく大きくなるように支持軸８を配置して扉２を支持することにより、扉２の開閉に必要なスペースをより小さくすることが可能である。
【００１８】
実施の形態２．
図８はこの発明の実施の形態２におけるエレベータの制御盤装置の正面図、図９はこの発明の実施の形態２におけるエレベータの制御盤装置の平面図である。図８及び図９において、１は筐体、１ａは保守点検口であり、実施の形態１と同様の構成を有している。９は保守点検口１ａを筐体１の前面側から覆う扉、１０は一端部側が鉛直方向の軸によって筐体１に回動自在に設けられ、扉９の側面に直交する方向の軸によって扉９を回動自在に支持する支持手段である。
【００１９】
上記扉９は、保守点検口１ａのほぼ全体を覆うように、保守点検口１ａの形状に合わせて正面視横長の略長方形状を呈しており、支持手段１０の一端部側となるその一側上部の角部に、略三角形状の切り欠き９ａが形成されている。なお、扉９の左右両端部は、筐体１の各側面と対向するように平面視略Ｌ字状に曲成されている。
【００２０】
また、上記支持手段１０は、一端部が筐体１の一側面に設けられて筐体１の側方に配置され、他端部が筐体１の前方に突出する支持腕１１と、一端部が蝶番１２を介して支持腕１１の他端部に回動自在に設けられ、筐体１の前方に配置された支持腕１３と、支持腕１３の他端部に設けられ、扉９を回動自在に支持する支持軸１４とから構成される。なお、蝶番１２の回動軸は略鉛直に配置され、扉９はその回動軸が扉９の側面に略直交するように支持軸１４によって支持される。また、上記支持腕１３は、実施の形態１における支持腕７よりも上下方向の幅が広く、切り欠き９ａが形成されたために扉９によって覆うことができなくなった保守点検口１ａの角部を筐体１の前面側から覆うように配置されている。即ち、筐体１の前面に形成された保守点検口１ａは、常時に扉９と支持腕１３とによって完全に覆われる。その他は、実施の形態１と同様の構成を有する。
【００２１】
ここで、図１０はこの発明の実施の形態２におけるエレベータの制御盤装置の扉の開閉動作を示す平面図、図１１はこの発明の実施の形態２におけるエレベータの制御盤装置の扉の開閉動作を示す正面図であり、図１０は蝶番１２を中心に支持腕１３を回転させて扉９を開放した状態を、また、図１１は支持軸１４を中心に扉９を約９０度回転させることにより、もともと横長状に配置されて保守点検口１ａを塞いでいた扉９を、筐体１の前方において縦長状に配置した状態を示している。
【００２２】
かかる構成を有するエレベータの制御盤装置では、扉９の一側上部に略三角形状の切り欠き９ａが形成されているため、支持軸１４を中心に扉９を回転させる際に、扉９が支持腕１１に接触する恐れがなく、作業性を向上させることができる。また、支持手段１０の構成を簡素化することが可能となる。即ち、実施の形態１における蝶番４が不要となる。
【００２３】
なお、扉９に切り欠き９ａを形成した場合であっても、保守点検口１ａを扉９及び支持腕１３によって完全に覆うことができるため、保守点検口１ａの開口面積を小さくする必要はなく、制御盤装置の保守点検時における作業性を悪化させる恐れもない。その他は、実施の形態１と同様の効果を奏する。
【００２４】
実施の形態３．
図１２はこの発明の実施の形態３におけるエレベータの制御盤装置の正面図、図１３はこの発明の実施の形態３におけるエレベータの制御盤装置の平面図である。図１２及び図１３において、筐体１及び保守点検口１ａは、実施の形態１と同様の構成を有している。１５は保守点検口１ａを筐体１の前面側から覆う扉、１６は一端部が鉛直方向の軸によって筐体１に回動自在に設けられ、扉１５の側面に直交する方向の軸によって扉１５を回動自在に支持する支持手段、１７は支持手段１６に設けられ、常時に保守点検口１ａが扉１５によって覆われるように、扉１５を所定の位置に固定する固定手段である。
【００２５】
上記扉１５は、保守点検口１ａ全体を覆うように、保守点検口１ａの形状に合せて正面視横長の略直方体状を呈しており、その左右両端部が筐体１の前面側に略Ｚ字状に曲成され、上下に渡って筐体１の前面に対向するように構成されている。また、上記支持手段１６は、蝶番４及び支持腕５と、一端部が蝶番６を介して支持腕５の他端部に回動自在に設けられ、筐体１の左右に渡って筐体１の前方に配置された支持腕１８と、支持腕１８のほぼ中間部に設けられ、扉１５を回動自在に支持する支持軸１９とから構成される。なお、扉１５はその回動軸が扉１５の側面に略直交するように支持軸１９によって支持されている。一方、上記固定手段１７は、支持腕１８の他端部に回動自在に設けられ、図示しない手段によって筐体１の他側面に着脱自在に固定される。
【００２６】
かかる構成を有するエレベータの制御盤装置では、常時に固定手段１７が筐体１の他側面に固定されるため、扉１５を直接筐体１に固定することなく、扉１５を所定の配置に保持することが可能となる。また、扉１５全体が筐体１の前面側に配置されているため、支持軸１９を中心に扉１５を回転させる際に、扉１５が筐体１に干渉するようなことがなく、作業性を向上させることができる。その他の構成及び効果は、実施の形態１と同様である。なお、実施の形態２のように扉１５の角部に切り欠きを形成するとともに、扉１５と支持腕１８とによって保守点検口１ａ全体を覆うように構成することにより、実施の形態２と同様の効果を奏することも可能である。
【００２７】
また、図１２及び図１３においては、支持手段１６を蝶番４及び６、支持腕５及び１８、支持軸１９によって構成したが、その機能上、蝶番６が無くても上記と同様の効果を得ることができることは言うまでもない。
【００２８】
実施の形態４．
図１４はこの発明の実施の形態４におけるエレベータの制御盤装置の正面図、図１５はこの発明の実施の形態４におけるエレベータの制御盤装置の平面図である。図１４及び図１５において、筐体１及び保守点検口１ａは、実施の形態１と同様の構成を有している。２０は保守点検口１ａを筐体１の前面側から覆う扉、２１は筐体１に設けられ、常時に扉２０によって保守点検口１ａが覆われるように扉２０を所定の位置に固定する固定手段である。
【００２９】
上記扉２０は、一側縁部が蝶番２２を介して筐体１の前面に回動自在に設けられたパネル２３と、一側縁部が蝶番２４を介してパネル２３の他側縁部に回動自在に設けられたパネル２５とから構成され、パネル２３及び２５によって保守点検口１ａの全体を覆うように構成される。また、上記固定手段２１には、平面視略Ｌ字状を呈し、一端部が蝶番２６を介して筐体１の一側面に回動自在に設けられ、他端部側が筐体１の前方に配置された固定腕２７と、一端部が蝶番２８を介して固定腕２７の他端部に回動自在に設けられ、筐体１の他側面側まで延設された固定腕２９と、固定腕２９の他端部に設けられ、図示しない手段によって筐体１の他側面に着脱自在に固定される固定部３０とが備えられる。
【００３０】
ここで、図１６はこの発明の実施の形態４におけるエレベータの制御盤装置の扉の開閉動作を示す平面図であり、固定手段２１の固定部３０を解除して、蝶番２６を中心にパネル２３を回転させた後、蝶番２２を中心にパネル２３を回転させて扉２０を開放した状態を示している。なお、扉２０は、その開放時、パネル２３及び２５の裏面同士が接近して対向するように蝶番２４によって連結され、固定手段２１は、扉２０の開放時、固定腕２７及び２９の表面同士が接近して対向するように蝶番２８によって連結されている。
【００３１】
かかる構成を有するエレベータの制御盤装置では、扉２０が蝶番２２によって筐体１に回動自在に支持されているため、保守点検時に扉２０を昇降路内に落下させる恐れはない。また、扉２０及び固定手段２１は、扉２０の開放時に、折り畳まれて筐体１の一側に寄せられるため、扉２０の開閉に必要なスペースを小さくすることができる。また、常時に固定手段２１が筐体１の他側に固定されるため、扉２０を直接筐体１に固定することなく、扉２０を所定の配置に保持することが可能となる。
【図面の簡単な説明】
【００３２】
【図１】この発明の実施の形態１におけるエレベータの制御盤装置の正面図である。
【図２】この発明の実施の形態１におけるエレベータの制御盤装置の平面図である。
【図３】この発明の実施の形態１におけるエレベータの制御盤装置の扉の開閉動作を示す平面図である。
【図４】この発明の実施の形態１におけるエレベータの制御盤装置の扉の開閉動作を示す平面図である。
【図５】この発明の実施の形態１におけるエレベータの制御盤装置の扉の開閉動作を示す正面図である。
【図６】この発明の実施の形態１におけるエレベータの制御盤装置の扉の開閉動作を示す平面図である。
【図７】この発明の実施の形態１におけるエレベータの制御盤装置の効果を説明するための図である。
【図８】この発明の実施の形態２におけるエレベータの制御盤装置の正面図である。
【図９】この発明の実施の形態２におけるエレベータの制御盤装置の平面図である。
【図１０】この発明の実施の形態２におけるエレベータの制御盤装置の扉の開閉動作を示す平面図である。
【図１１】この発明の実施の形態２におけるエレベータの制御盤装置の扉の開閉動作を示す正面図である。
【図１２】この発明の実施の形態３におけるエレベータの制御盤装置の正面図である。
【図１３】この発明の実施の形態３におけるエレベータの制御盤装置の平面図である。
【図１４】この発明の実施の形態４におけるエレベータの制御盤装置の正面図である。
【図１５】この発明の実施の形態４におけるエレベータの制御盤装置の平面図である。
【図１６】この発明の実施の形態４におけるエレベータの制御盤装置の扉の開閉動作を示す平面図である。
【符号の説明】
【００３３】
１  筐体
１ａ  保守点検口
２、９、１５、２０  扉
２ａ  最外部
３、１０、１６  支持手段
４、６、１２、２２、２４、２６、２８  蝶番
５、７、１１、１３、１８  支持腕
８、１４、１９  支持軸
９ａ  切り欠き
１７、２１  固定手段
２３、２５  パネル
２７、２９  固定腕
３０  固定部
【図１】
2007308288.tif 000003
【図２】
2007308288.tif 000004
【図３】
2007308288.tif 000005
【図４】
2007308288.tif 000006
【図５】
2007308288.tif 000007
【図６】
2007308288.tif 000008
【図７】
2007308288.tif 000009
【図８】
2007308288.tif 000010
【図９】
2007308288.tif 000011
【図１０】
2007308288.tif 000012
【図１１】
2007308288.tif 000013
【図１２】
2007308288.tif 000014
【図１３】
2007308288.tif 000015
【図１４】
2007308288.tif 000016
【図１５】
2007308288.tif 000017
【図１６】
2007308288.tif 000018